(57)【要約】      （修正有）【課題】紙器と発泡スチロール成形体との組み合わせ容器を提供する。【解決手段】紙器本体外容器２１と、該紙器本体外容器の内側に設けられた発泡合成樹脂成形体本体内容器とを有する本体容器と、紙器蓋外容器３１と、該紙器蓋外容器の内側に設けられた発泡合成樹脂成形体蓋内容器２５とを有する蓋容器３０を有することを特徴とする組み合わせ容器。また、紙器本体外容器と、該紙器本体外容器の内側に設けられた発泡合成樹脂成形体本体内容器とを有する本体容器２０と、紙器蓋外容器と、該紙器蓋外容器の上部の端面に透明の板状合成樹脂とを有する蓋容器とを有することを特徴とする。【選択図】図３
0003167270.tif 000002
【実用新案登録請求の範囲】
【請求項１】
底部に端面を有し縦断面が凹型の筒状である紙器本体外容器と、前記紙器本体外容器の内側に設けられた発泡合成樹脂成形体本体内容器とを有する本体容器と、
上部に端面を有し縦断面が凹型の上下逆形状の筒状である紙器蓋外容器と、前記紙器蓋外容器の内側に設けられた発泡合成樹脂成形体蓋内容器とを有する蓋容器と、
を有することを特徴とする組み合わせ容器。
【請求項２】
前記紙器蓋外容器の上部の端面の一部または全てが透明の板状合成樹脂であり、少なくとも前記透明の板状合成樹脂の内側に接する部分の前記発泡合成樹脂成形体蓋内容器を欠切している請求項１に記載の組み合わせ容器。
【請求項３】
前期紙器蓋容器の上部の端面が二重構造である請求項目１または２に記載の組み合わせ容器。
【請求項４】
前記発泡合成樹脂成形体はビーズ発泡スチロール成形体である請求項１ないし３のいずれか１項に記載の組み合わせ容器。
【考案の詳細な説明】
【技術分野】
【０００１】
本考案は、紙器容器と発泡合成樹脂成形体容器を組み合わせた容器に関する。
【背景技術】
【０００２】
従来、紙器容器と発泡合成樹脂成形体容器は収容物に応じて使い分けられていたが、次のような問題があった。例えば、紙器容器の収容物が食品であって、これを一定時間保冷しようとする場合、食の安全の観点から容器内に必要以上の畜冷材などを入れて温度上昇を抑えており、余分な資材が必要であった。また、断熱性を有する発泡合成樹脂成形体容器を使用する場合、美粧性を得ようとするために外壁に直接印刷するか、外壁にラベル等を貼っているが、印刷紙器の美粧性には及ばなかった。
【０００３】
このような問題点を解決するため、紙器を成形する紙にシート状の断熱材を張り合わせる容器が提案されている（例えば特許文献１）。しかし、紙に断熱材を張り合わせた容器では、廃棄の際の分別の為に、紙と断熱材を剥離させる必要があった。また、断熱材の厚さに制限があった。
【先行技術文献】
【特許文献】
【０００４】
【特許文献１】特開平１０−２１８２３５号公報
【考案の概要】
【考案が解決しようとする課題】
【０００５】
本考案は、上記問題に鑑みなされたもので、紙器の美粧性を損なうことなく、内材に発泡合成樹脂成形容器を組み合わせることによって、保冷性、保温性、緩衝性を得ることを目的とする容器を提供する。
【課題を解決するための手段】
【０００６】
請求項１の考案は、底部に端面を有し縦断面が凹型の筒状である紙器本体外容器と、前記紙器本体外容器の内側に設けられた発泡合成樹脂成形体本体内容器とを有する本体容器と、上部に端面を有し縦断面が凹型の上下逆形状の筒状である紙器蓋外容器と、前記紙器蓋外容器の内側に設けられた発泡合成樹脂成形体蓋内容器とを有する蓋容器と、を有することを特徴とする組み合わせ容器に係る。
【０００７】
請求項２の考案は請求項１の考案において、前記紙器蓋外容器の上部の端面の一部または全てが透明の板状合成樹脂であり、少なくとも前記発泡合成樹脂成形体蓋内容器の前記透明の板状合成樹脂の内側に接する部分を欠切している組み合わせ容器に係る。
【０００８】
請求項３の考案は請求項１または２において、前期紙器蓋容器の上部の端面が二重構造である組み合わせ容器に係る。
【０００９】
請求項４の考案は請求項１ないし３のいずれか１項の考案において、前記発泡合成樹脂成形体はビーズ発泡スチロール成形体である組み合わせ容器に係る。
【考案の効果】
【００１０】
請求項１の考案は、底部に端面を有し縦断面が凹型の筒状である紙器本体外容器と、前記紙器本体外容器の内側に設けられた発泡合成樹脂成形体本体内容器とを有する本体容器と、上部に端面を有し縦断面が凹型の上下逆形状の筒状である紙器蓋外容器と、前記紙器蓋外容器の内側に設けられた発泡合成樹脂成形体蓋内容器とを有する蓋容器と、を有することを特徴とするため、紙器の美粧性を損なうことなく、保冷性、保温性、緩衝性に優れた組み合わせ容器を提供できる。
【００１１】
請求項２の考案は請求項１の考案において、前記紙器蓋外容器の上部の端面の一部または全てが透明の板状合成樹脂であり、少なくとも前記発泡合成樹脂成形体蓋内容器の前記透明の板状合成樹脂の内側に接する部分を欠切しているため、容器の内部を見ることができる組み合わせ容器を提供できる。
【００１２】
請求項３の考案は請求項１または２において、前期紙器蓋容器の上部の端面が二重構造であるため、保冷性、保温性に優れた組み合わせ容器を提供できる。
【００１３】
請求項４の考案は請求項１ないし３のいずれか１項の考案において、前記発泡合成樹脂成形体はビーズ発泡スチロール成形体であるため、前記発泡合成樹脂成形体を安価に製作することができる。
【図面の簡単な説明】
【００１４】
【図１】本考案に係る組み合わせ容器の斜視図である。
【図２】本考案に係る組み合わせ容器の正面図である。
【図３】図２に示す組み合わせ容器のＡ−Ａ断面図である。
【図４】図２に示す組み合わせ容器のうち、発泡合成樹脂成形体蓋内容器が円盤状である組み合わせ容器のＡ−Ａ断面図である。
【図５】図３，４のＢ−Ｃ部分拡大図である。
【図６】紙器蓋外容器の上部端面（天板）が透明である組み合わせ容器の斜視図である。
【図７】図６に示す組み合わせ容器を図２のＡ−Ａ線と同様に切断した断面図である。
【図８】紙器蓋外容器の上部端面（天板）が透明で二重構造である組み合わせ容器を図２のＡ−Ａ線と同様に切断した断面図である
【図９】紙器蓋外容器の上部端面（天板）の一部が透明で二重構造である組み合わせ容器の斜視図である。
【図１０】図１０に示す組み合わせ容器を図２のＡ−Ａ線と同様に切断した断面図である。
【図１１】図９のＥ−Ｆ部分拡大図である。
【図１２】本考案に係る角型筒状の組み合わせ容器の斜視図である。
【考案を実施するための形態】
【００１５】
以下本考案の実施の形態を説明する。図１，２，３に示すように、組み合わせ容器１０は、本体容器２０と蓋容器３０を有する。また、本体容器２０は、紙器本体外容器２１と、紙器本体外容器２１の内側に設けられた発泡合成樹脂成形体本体内容器２５を有する。さらに、蓋容器３０は、紙器蓋外容器３１と、紙器蓋外容器３１の内側に設けられた発泡合成樹脂成形体蓋内容器３５とを有する。
【００１６】
図１，２，３に示すように紙器本体外容器２１は、底部に端面（底板）２２を有し縦断面が凹型の丸型筒状である。また、紙器本体外容器２１は側面に側壁２３を有する。底板２２は円形であり、その周囲を側壁２３により円筒形に囲っている。側壁２３の上下端には補強、美感の目的から、そして底板２２及び発泡合成樹脂成形体本体内容器２５を保持するための上下カール部２４ａ、２４ｂを設けている。
【００１７】
紙器本体外容器２１の材質は紙であり、容器としての強度を有するものであれば特に紙の種類、厚さ、容器の大きさ等は限定されない。例えば、耐水性の観点からは耐水紙が使用できるし、耐衝撃性を増すという観点からは段ボールが使用できる。実施例では、強度と製作のし易さの観点から約０．５ｍｍ厚のコートボール紙を使用している。また、紙に様々な文字、画像、模様等を印刷する等をして、装飾を施すこともできる。
【００１８】
図３，５に示すように発泡合成樹脂成形体本体内容器２５は、紙器本体外容器２１の内側に設けられている。発泡合成樹脂成形体本体内容器２５は、紙器本体外容器２１と同様に底部に端面２６を有し縦断面が凹型の丸型筒状である。そして、側壁２７は紙器本体外容器２１の底板２２と上カール部２４ｂに挟まれている。側壁２７の上端は、水平方向の肉厚が上カール部２４ｂの径より厚くなっており、後述する発泡合成樹脂成形体蓋内容器３５と接触し外気と遮断するための接触部２８を有する。
【００１９】
発泡合成樹脂成形体本体内容器２５の材質は、ポリウレタン、ポリスチレン、ポリオレフィン等の公知の材料を使用できる。実施例ではポリスチレンを用いたビーズ発泡スチロールを使用している。発泡合成樹脂成形体本体内容器２５の大きさは、側壁２７の外径が紙器本体外容器２１の内径と略同じ大きさ、側壁２７の高さが紙器本体外容器２１の底板２２の上面と上カール部２４ｂの下端の間の距離と略同じ大きさが好ましい。すなわち、接着剤、接着テープ等を使用しなくとも、発泡合成樹脂成形体本体内容器２５が紙器本体外容器２１の底板２２、側壁２３、上カール部２４ｂによって保持される状態が、製造上また廃棄の際の分別の観点から好ましいのである。もっとも、必要に応じて紙器本体外容器２１と発泡合成樹脂成形体本体内容器２５の接合に、接着剤、接着テープ等を使用して良いのは言うまでもない。
【００２０】
図１，２，３に示すように紙器蓋外容器３１は、上部に端面（天板）３２を有し縦断面が凹型を上下逆にした形状の丸型筒状である。また、紙器蓋外容器３１は側面に側壁３３を有する。天板３２は円形であり、その周囲を側壁３３により円筒形に囲っている。側壁３３の上端には補強、美感の目的から、そして天板３２及び発泡合成樹脂成形体蓋内容器３５を位置決めするための上カール部３４を設けている。紙器蓋外容器３１の材質等については、紙器本体外容器２１と同様である。
【００２１】
紙器蓋外容器３１の側板３３の内径の大きさは、紙器本体外容器２１の側板２３の外径と略同じである。また、紙器蓋外容器３１の側板３３の高さは、上カール部３４と天板３２、及び後述する発泡合成樹脂成形体蓋内容器３５の肉厚を加算し、さらに紙器本体外容器２１の側板２３と重なり合う部分を加えた高さとなる。この紙器本体外容器２１の側板２３と重なり合う部分の高さは、容器の態様によって適宜変更できる。例えば、前記高さが上カール部２４ｂにわずかに接する程度でも良いし、下カール部２４ａに届く高さであっても良い。
【００２２】
図３，５に示すように発泡合成樹脂成形体蓋内容器３５は、紙器蓋外容器３１の内側に設けられ、紙器蓋外容器３１と同様に上部に端面（天板）３６を有し縦断面が凹型を上下逆にした形状の丸型筒状をしており側面に側壁３７を有する。そして、側壁３７は紙器蓋外容器３１の天板３２と側壁３３により保持されている。側壁３７の外側下端には、紙器本体外容器２１の上カール部２４ｂを避けるための切欠き３８を有する。切欠き３８の内側には、発泡合成樹脂成形体本体内容器２５の接触部２８と接触し、外気と遮断するための接触部３９を有する。さらに、図５に示すように接触部２８，３９の形状は、互いに対になるような段差を設け、その段差が重なり合うようにしてもよい。
【００２３】
また、図４に示すように発泡合成樹脂成形体蓋内容器３５は、紙器蓋外容器３１の内側に設けられ、円盤状でもよい。そして、紙器蓋外容器３１の天板３２と側壁３３により保持されている。発泡合成樹脂成形体蓋内容器３５の外周部下側には紙器本体外容器２１の上カール部２４ｂを避けるための切欠き３８を有する。切欠き３８の内側には、発泡合成樹脂成形体本体内容器２５の接触部２８と接触し、外気と遮断するための接触部３９を有する。さらに、図５同様に接触部２８，３９の形状は、互いに対になるような段差を設け、その段差が重なり合うようにしてもよい。
【００２４】
発泡合成樹脂成形体蓋内容器３５の材質は、発泡合成樹脂成形体本体内容器２５同様にポリウレタン、ポリスチレン、ポリオレフィン等の公知の材料を使用できる。実施例ではポリスチレンを用いたビーズ発泡スチロールを使用している。発泡合成樹脂成形体蓋内容器３５の大きさは、側壁３７の外径が紙器蓋外容器３１の側壁３３の内径と略同じ大きさが好ましい。すなわち、接着剤、接着テープ等を使用しなくとも、発泡合成樹脂成形体蓋内容器３５が紙器蓋外容器３１の天板３２、側壁３３によって保持される状態が、製造上また廃棄の際の分別の観点から好ましいのである。もっとも、必要に応じて紙器蓋外容器３１と発泡合成樹脂成形体蓋内容器３５の接合に、接着剤、接着テープ等を使用して良いのは言うまでもない。
【００２５】
なお、発泡合成樹脂成形体本体内容器２５と発泡合成樹脂成形体蓋内容器３５の内側の形状は、組み合わせ容器１０に入れる内容物の形状に合わせることができる。例えば、陶磁器等の割れ物を組み合わせ容器１０に入れるとき、その陶磁器の形状に倣った空間を有する発泡合成樹脂成形体を用いることで、より優れた緩衝性を発揮することができる。
【００２６】
図６，７に示すように上述の組み合わせ容器１０は、紙器蓋外容器の端面を透明の板状合成樹脂４１にすることが出来る。なお、この実施例において正面図は図２と同一に表れるため図示しない。また、図７の断面図は図６に係る組み合わせ容器１０を図２のＡ−Ａ線と同じ場所で切断した図である。その場合、発泡合成樹脂成形体内容器３５は、少なくとも透明の板状合成樹脂４１に接する部分の一部を欠切して内容物が視認できるようにしてある。透明の板状合成樹脂４１には、ＰＳ（ポリスチレン）、ＰＶＣ（塩ビ）、ＰＥＴ（ポリエチレンテレフタレート）等の材質が使用でき、板厚も特に制限されない。実施例では曲げ強度及びリサイクルの観点からＰＥＴの０．５ｍｍ厚の材料を使用している。
【００２７】
また、図８に示すように、保冷性、保温性を高めるために、紙器蓋外容器３１の端面の透明の板状合成樹脂天板４１，４２を二重構造とすることもできる。なお、この実施例において正面図は図２と同一に、斜視図は図６と同一に表れるため図示しない。また、図８の断面図は本実施例に係る組み合わせ容器１０を図２のＡ−Ａ線と同じ場所で切断した図である。本実施例の場合、紙器蓋外容器３１の端面の透明の板状合成樹脂天板４１に接する部分の一部を欠切した発泡合成樹脂成形体蓋内容器３５で、透明の板状合成樹脂天板４１と天板４２の間に空間を保っている。また、空間を保つ材料は紙器蓋外容器の端面の透明の板状合成樹脂天板４１に接する部分の一部を欠切した発泡合成樹脂成形体蓋内容器３５に限られない。すなわち、図示しない板状紙器や板状合成樹脂を紙器蓋外容器３１の側板３３の内側に接する様に施してもよい。
【００２８】
天板４２は前述の透明の板状合成樹脂の代わりに印刷を施した板状紙器を設けることもできる。その場合、透明の板状合成樹脂４１より天板４２の板状紙器の印刷の図柄を視認できる。また、透明の板状合成樹脂天板４１と板状紙器の天板４２の間の空間に動物、植物、乗り物、天体、風景等をあしらった立体物等を配置しても良い。さらに、天板４１，４２の両方を板状紙器とすることで、発泡合成樹脂成形体蓋内容器３５の使用量を減らすこともできる。
【００２９】
紙器蓋外容器３１の端面の一部を透明の板状合成樹脂４１にする範囲も特に限定されない。例えば、図９，１０，１１で示すように透明の板状合成樹脂４１の外側に接するようにさらに紙器等の穴の開いた天板４３を設けることが出来る。また、図示しないが天板４３の穴を動物、植物、乗り物、天体等をモチーフにした形状、またはハート型、丸型等に開けて、その穴を覆う様に透明の板状合成樹脂４１を設けることが出来る。その際、紙器蓋外容器３１の内側に設けられた発泡合成樹脂成形体蓋内容器３５は少なくとも透明の板状合成樹脂４１に接する部分の一部を欠切して内容物が視認できるようにしてある。
【００３０】
本考案の紙器と発泡合成樹脂成形体との組み合わせ容器は、紙器容器の内側に設けられた発泡合成樹脂が保冷性、保温性を有する為、温度の変化により変性してしまう食材、飲料などの保冷、保温移送用パッケージとして用い温度変化の時間を長引かせることができる。また緩衝性を有する為、外部からの衝撃により破壊され易いガラス容器、陶器などの緩衝性移送用パッケージとしても用いることができる。また発泡合成樹脂成形本体容器が通水性の無い材質であれば生花などの受け皿として用いることが出来、さらに紙器蓋容器の天板が透明な樹脂板であれば蓋をしたまま内容物を見ることができる移送用パッケージとして用いることができる。
【００３１】
なお、本考案は、上述した各実施例に限定されるものではなく、考案の趣旨を逸脱しない範囲において構成の一部を適宜に変更して実施することができる。例えば、上述各実施例における組み合わせ容器１０のカール部を有しないもの、あるいは横断面が三角形、図１２に示す四角形、六角形等の多角形や楕円形、ひょうたん型、ハート型等のものが実施できる。
【符号の説明】
【００３２】
１０    丸型筒状組み合わせ容器
２０    本体容器
２１    紙器本体外容器
２２    底部端面（底板）
２３    側壁
２４ａ  下カール部
２４ｂ  上カール部
２５    発泡合成樹脂成形体本体内容器
２６    底部端面
２７    側壁
２８    接触部
３０    蓋容器
３１    紙器蓋外容器
３２    天部端面（天板）
３３    側壁
３４    上カール部
３５    発泡合成樹脂成形体蓋内容器
３６    底部端面
３７    側壁
３８    切欠き
３９    接触部
４１    天板
４２    天板
【図１】
0003167270.tif 000003
【図２】
0003167270.tif 000004
【図３】
0003167270.tif 000005
【図４】
0003167270.tif 000006
【図５】
0003167270.tif 000007
【図６】
0003167270.tif 000008
【図７】
0003167270.tif 000009
【図８】
0003167270.tif 000010
【図９】
0003167270.tif 000011
【図１０】
0003167270.tif 000012
【図１１】
0003167270.tif 000013
【図１２】
0003167270.tif 000014